(57)【要約】【課題】    本発明の目的は、連結状態を強固にすることができる仏壇を提供するものである。【解決手段】    仏壇１は、少なくとも、下に位置する箱状の第１の箱状体２と、この第１の箱状体２の上に載置される箱状の第２の箱状体３とを備えた仏壇１であって、第１の箱状体２と第２の箱状体３の背面に連結部材６（６’）を取り付けて第１の箱状体２と第２の箱状体３を連結するものである。【選択図】図２
2008229227.tif 000002
【特許請求の範囲】
【請求項１】
少なくとも、下に位置する箱状の第１の箱状体と、この第１の箱状体の上に載置される箱状の第２の箱状体と、を備えた仏壇であって、
前記第１の箱状体と前記第２の箱状体の背面に取り付けて前記第１の箱状体と前記第２の箱状体を連結する連結部材と、
この連結部材は、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備え、
前記ベース部は、前記第１の箱状体と前記第２の箱状体の背面の境目に形成された凹所に位置し、前記第１の張り出し部は、前記第１の箱状体にネジ等の接合部材で取り付けられ、前記第２の張り出し部は、前記第２の箱状体にネジ等の接合部材で取り付けられ、    前記凹所は、前記仏壇の背面であって、前記第１の箱状体と前記第２の箱状体の境目にあって、前記第１の箱状体の上面に形成されるか、または、前記第２の箱状体の下面に形成されるか、または、前記第１の箱状体の上面と前記第２の箱状体の下面とのそれぞれの面に形成されるものである
ことを特徴とする仏壇。
【請求項２】
連結部材は、少なくとも、二つあって、その一つは第１の連結部材であり、他の一つは第２の連結部材であり、
凹所は、少なくとも、二つあって、その一つは仏壇の背面から見て第１の箱状体と第２の箱状体の右端部の境目に形成された第１の凹所であり、他の一つは前記仏壇の背面から見て前記第１の箱状体と前記第２の箱状体の左端部の境目に形成された第２の凹所であり、
前記仏壇の背面から見て右側は、前記第１の連結部材を介してネジ等の接合部材により、前記仏壇の背面から見て左側は、前記第２の連結部材を介してネジ等の接合部材により、それぞれ取り付けられて、前記第１の箱状体と前記第２の箱状体とが連結されている    ことを特徴とする請求項１記載の仏壇。
【請求項３】
第１の箱状体の上面と前記第２の箱状体の下面がネジ等の接合部材により接合されている
ことを特徴とする請求項１または２記載の仏壇。
【請求項４】
少なくとも、下に位置する箱状の第１の箱状体と、この第１の箱状体の上に載置される箱状の第２の箱状体と、を備えた収納家具であって、
前記第１の箱状体と前記第２の箱状体の背面に取り付けて前記第１の箱状体と前記第２の箱状体を連結する連結部材と、
この連結部材は、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備え、
前記ベース部は、前記第１の箱状体と前記第２の箱状体の背面の境目に形成された凹所に位置し、前記第１の張り出し部は、前記第１の箱状体にネジ等の接合部材で取り付けられ、前記第２の張り出し部は、前記第２の箱状体にネジ等の接合部材で取り付けられ、    前記凹所は、前記収納家具の背面であって、前記第１の箱状体と前記第２の箱状体の境目にあって、前記第１の箱状体の上面に形成されるか、または、前記第２の箱状体の下面に形成されるか、または、前記第１の箱状体の上面と前記第２の箱状体の下面とのそれぞれの面に形成されるものである
ことを特徴とする収納家具。
【請求項５】
連結部材は、少なくとも、二つあって、その一つは第１の連結部材であり、他の一つは第２の連結部材であり、
凹所は、少なくとも、二つあって、その一つは収納家具の背面から見て第１の箱状体と第２の箱状体の右端部の境目に形成された第１の凹所であり、他の一つは前記収納家具の背面から見て前記第１の箱状体と前記第２の箱状体の左端部の境目に形成された第２の凹所であり、
前記収納家具の背面から見て右側は、第１の連結部材を介してネジ等の接合部材により、前記収納家具の背面から見て左側は、第２の連結部材を介してネジ等の接合部材により、それぞれ取り付けられて、前記第１の箱状体と前記第２の箱状体とが連結されている    ことを特徴とする請求項４記載の収納家具。
【請求項６】
第１の箱状体の上面と前記第２の箱状体の下面がネジ等の接合部材により接合されている
ことを特徴とする請求項４または５記載の収納家具。
【発明の詳細な説明】
【技術分野】
【０００１】
本発明は、仏壇及び収納家具に係り、特に、連結状態を強固にすることができる仏壇及び収納家具に関する。
【０００２】
従来、例えば、左右に隣接する収納家具の頂板同士を平板状の連結板を介して連結している（例えば、特許文献１  第１図及び第４図参照）。
【特許文献１】特公平７−１０２１６５号公報
【発明の開示】
【発明が解決しようとする課題】
【０００３】
左右に隣接する収納家具の場合、支障を生じないが、上下に隣接する収納家具の場合、上記のような平板状の連結板を介して連結すると、地震等による振動により上に位置する収納家具が動き、その動きに伴い平板状の連結板のネジ等の接合部材に直接荷重がかかって連結状態が弱く、上に位置する収納家具が下に位置する収納家具から容易に離脱して落下してしまうという問題点が生じた。
【０００４】
本発明は、上記の問題点を除去するように、連結状態を強固にすることができる仏壇及び収納家具を提供することを目的とする。
【課題を解決するための手段】
【０００５】
本発明の仏壇は、少なくとも、下に位置する箱状の第１の箱状体と、この第１の箱状体の上に載置される箱状の第２の箱状体と、を備えた仏壇であって、前記第１の箱状体と前記第２の箱状体の背面に取り付けて前記第１の箱状体と前記第２の箱状体を連結する連結部材と、この連結部材は、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備え、前記ベース部は、前記第１の箱状体と前記第２の箱状体の背面の境目に形成された凹所に位置し、前記第１の張り出し部は、前記第１の箱状体にネジ等の接合部材で取り付けられ、前記第２の張り出し部は、前記第２の箱状体にネジ等の接合部材で取り付けられ、前記凹所は、前記仏壇の背面であって、前記第１の箱状体と前記第２の箱状体の境目にあって、前記第１の箱状体の上面に形成されるか、または、前記第２の箱状体の下面に形成されるか、または、前記第１の箱状体の上面と前記第２の箱状体の下面とのそれぞれの面に形成されるものである。
ものである。
【０００６】
また、請求項２記載の仏壇は、請求項１記載の仏壇において、連結部材は、少なくとも、二つあって、その一つは第１の連結部材であり、他の一つは第２の連結部材であり、凹所は、少なくとも、二つあって、その一つは仏壇の背面から見て第１の箱状体と第２の箱状体の右端部の境目に形成された第１の凹所であり、他の一つは前記仏壇の背面から見て前記第１の箱状体と前記第２の箱状体の左端部の境目に形成された第２の凹所であり、前記仏壇の背面から見て右側は、前記第１の連結部材を介してネジ等の接合部材により、前記仏壇の背面から見て左側は、前記第２の連結部材を介してネジ等の接合部材により、それぞれ取り付けられて、前記第１の箱状体と前記第２の箱状体とが連結されているものである。  
【０００７】
また、請求項３記載の仏壇は、請求項１又は２記載の仏壇において、第１の箱状体の上面と前記第２の箱状体の下面がネジ等の接合部材により接合されているものである。
【０００８】
また、請求項４記載の収納家具は、少なくとも、下に位置する箱状の第１の箱状体と、この第１の箱状体の上に載置される箱状の第２の箱状体と、を備えた収納家具であって、前記第１の箱状体と前記第２の箱状体の背面に取り付けて前記第１の箱状体と前記第２の箱状体を連結する連結部材と、この連結部材は、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備え、前記ベース部は、前記第１の箱状体と前記第２の箱状体の背面の境目に形成された凹所に位置し、前記第１の張り出し部は、前記第１の箱状体にネジ等の接合部材で取り付けられ、前記第２の張り出し部は、前記第２の箱状体にネジ等の接合部材で取り付けられ、前記凹所は、前記収納家具の背面であって、前記第１の箱状体と前記第２の箱状体の境目にあって、前記第１の箱状体の上面に形成されるか、または、前記第２の箱状体の下面に形成されるか、または、前記第１の箱状体の上面と前記第２の箱状体の下面とのそれぞれの面に形成されるものである。  
【０００９】
また、請求項５記載の収納家具は、請求項４記載の収納家具において、連結部材は、少なくとも、二つあって、その一つは第１の連結部材であり、他の一つは第２の連結部材であり、凹所は、少なくとも、二つあって、その一つは収納家具の背面から見て第１の箱状体と第２の箱状体の右端部の境目に形成された第１の凹所であり、他の一つは前記収納家具の背面から見て前記第１の箱状体と前記第２の箱状体の左端部の境目に形成された第２の凹所であり、前記収納家具の背面から見て右側は、第１の連結部材を介してネジ等の接合部材により、前記収納家具の背面から見て左側は、第２の連結部材を介してネジ等の接合部材により、それぞれ取り付けられて、前記第１の箱状体と前記第２の箱状体とが連結されているものである。
【００１０】
また、請求項６記載の収納家具は、請求項４又は５記載の収納家具において、第１の箱状体の上面と前記第２の箱状体の下面がネジ等の接合部材により接合されているものである。
【発明の効果】
【００１１】
請求項１記載の仏壇によれば、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備えた連結部材を第１の箱状体と第２の箱状体の背面に取り付けて前記第１の箱状体と前記第２の箱状体を連結するため、９０°の角度により、第１の箱状体及び第２の箱状体の動きが規制されて強固に連結され、例えば、運搬する際の強度を保つことも、または、地震等の振動により、上に位置する第２の箱状体が第１の箱状体からずれ落ちることをも防ぐことができる。
【００１２】
また、請求項２記載の仏壇によれば、前述した請求項１記載の発明の効果に加え、仏壇の背面から見て右側は、第１の連結部材を介してネジ等の接合部材により、前記仏壇の背面から見て左側は、第２の連結部材を介してネジ等の接合部材により、それぞれ取り付けられて、前記第１の箱状体と前記第２の箱状体とが連結されているため、連結部材が前側から見えず美観を損ねないと共に、第１の箱状体と第２の箱状体の右端部と左端部とにそれぞれ連結部材を設け、しかも、第１の箱状体と第２の箱状体の右端部と左端部は、共に、強度的に強い部位であるため、連結状態を強固にすることができる。
【００１３】
また、請求項４記載の収納家具によれば、ベース部と、このベース部の一方の端部より前記ベース部に対して９０°の角度で側方に張り出す第１の張り出し部と、前記ベース部の一方の端部より前記第１の張り出し部とは逆の方向であって、前記ベース部に対して９０°の角度で側方に張り出す第２の張り出し部とを備えた連結部材を第１の箱状体と第２の箱状体の背面に取り付けて前記第１の箱状体と前記第２の箱状体を連結するため、９０°の角度により、第１の箱状体及び第２の箱状体の動きが規制されて強固に連結され、例えば、運搬する際の強度を保つことも、または、地震等の振動により、上に位置する第２の箱状体が第１の箱状体からずれ落ちることをも防ぐことができる。
【００１４】
また、請求項５記載の収納家具によれば、前述した請求項４記載の発明の効果に加え、収納家具の背面から見て右側は、第１の連結部材を介してネジ等の接合部材により、前記収納家具の背面から見て左側は、第２の連結部材を介してネジ等の接合部材により、それぞれ取り付けられて、前記第１の箱状体と前記第２の箱状体とが連結されているため、連結部材が前側から見えず美観を損ねないと共に、第１の箱状体と第２の箱状体の右端部と左端部とにそれぞれ連結部材を設け、しかも、第１の箱状体と第２の箱状体の右端部と左端部は、共に、強度的に強い部位であるため、連結状態を強固にすることができる。
【発明を実施するための最良の形態】
【００１５】
本発明の仏壇の一実施例を図面を参照して説明する。
図１乃至図１１において、１は仏壇で、仏壇１は、下に位置する箱状の第１の箱状体２と、この第１の箱状体２の上に載置される箱状の第２の箱状体３とを備え、第１の箱状体２と第２の箱状体３の前面開口した開口部を扉４、５により左右に開閉するようになっている。
第１の箱状体２には、例えば、経机等が、第２の箱状体３には、例えば、厨子等が、それぞれ収納されるようになっている。
扉４は蝶番４１により第１の箱状体２に、扉５は蝶番５１により第２の箱状体３に、それぞれ取り付けられている。
【００１６】
６、６’は、第１の箱状体２と第２の箱状体３の背面に取り付けて第１の箱状体２と第２の箱状体３を連結する連結部材で、連結部材６、６’は、二つあって、その一つは仏壇１の背面から見て右に位置する第１の連結部材６であり、他の一つは仏壇１の背面から見て左に位置する第２の連結部材６’である。なお、連結部材６、６’は、同じ部材で、取り付け位置が異なる。
この連結部材６（６’）は、ベース部６０（６０’）と、このベース部６０（６０’）の一方の端部よりベース部６０（６０’）に対して９０°の角度で側方に張り出す第１の張り出し部６１（６１’）と、ベース部６０（６０’）の一方の端部より第１の張り出し部６１（６１’）とは逆の方向であって、ベース部６０（６０’）に対して９０°の角度で側方に張り出す第２の張り出し部６２（６２’）とを備えている。
【００１７】
この連結部材６（６’）は、図１１（ａ）に示すように、平板状部材でＴ字形状に形成しても良いし、また、図１１（ｂ）に示すように、張り出し部を更に延長しても良いし、また、図１１（ｃ）に示すように、ベース部６０（６０’）を断面円である棒状部材で形成しても良いし、また、図１１（ｄ）に示すように、２個のＬ字形状を背中合わせにすると共に、背中部を溶接してＴ字形状に形成しても良いし、また、図１１（ｅ）に示すように、ベース部６０（６０’）に穴ベース部６０ａ（６０ａ’）にネジ等の接合部材Ｓで第２の箱状体３（または第１の箱状体２）に取り付けるようにしても良いし、また、図１１（ｆ）に示すように、ベース部６０（６０’）に上下に突起Ｔを設け、突起Ｔに係止する穴（図示せず）を第１の箱状体２及び第２の箱状体３に設けても良いし、また、図１１（ｇ）に示すように、平板状部材を切り起こして、切り起こした部位をベース部６０（６０’）としても良い。
【００１８】
上述したベース部６０（６０’）は、図４乃至図７に示すように、第１の箱状体２と第２の箱状体３の背面の境目Ｂに形成された凹所７（７’）に位置している。
この凹所７（７’）は、一つでも良いが、少なくとも、二つが望ましく、その一つは仏壇１の背面から見て第１の箱状体２と第２の箱状体３の右端部の境目Ｂに形成された第１の凹所７であり、他の一つは仏壇１の背面から見て第１の箱状体２と第２の箱状体３の左端部の境目Ｂに形成された第２の凹所７’である。
凹所７（７’）は、仏壇１の背面であって、第１の箱状体２と第２の箱状体３の境目Ｂにあって、第１の箱状体２の上面に形成されるか（図８参照）、または、第２の箱状体３の下面に形成されるか（図９参照）、または、第１の箱状体２の上面と第２の箱状体３の下面とのそれぞれの面に形成される（図１０参照）ものである。
そして、仏壇１の背面から見て右側は、第１の連結部材６を介してネジ等の接合部材６３により、仏壇１の背面から見て左側は、第２の連結部材６’を介してネジ等の接合部材６３’により、それぞれ取り付けられて、第１の箱状体２と第２の箱状体３とが連結されている。
このように、仏壇１の背面から見て右側は、第１の連結部材６を介してネジ等の接合部材６３により、仏壇１の背面から見て左側は、第２の連結部材６’を介してネジ等の接合部材６３’により、それぞれ取り付けられて、第１の箱状体２と第２の箱状体３とが連結されているため、連結部材６、６’が前側から見えず美観を損ねないと共に、第１の箱状体２と第２の箱状体３の右端部と左端部とにそれぞれ連結部材６、６’を設け、しかも、第１の箱状体２と第２の箱状体３の右端部と左端部は、共に、強度的に強い部位であるため、連結状態を強固にすることができる。
【００１９】
また、図３に示すように、第１の箱状体２の上面と第２の箱状体３の下面はネジ等の接合部材８、８’により接合されている。
接合部材８、８’は、例えば、第２の箱状体３の下面に雌ネジ８１（８１’）を埋め込み、この雌ネジ８１（８１’）に螺合する雄ネジ８２（８２’）で構成し、望ましくは、手で作業できるように手当接部８３（８３’）を設けるようにする（図２参照）。
【００２０】
また、上述した仏壇１にあっては、扉４、５と分割しているが、図１２に示すように、扉９により第１の箱状体２及び第２の箱状体３の開口部２ａ、３ａの両方を開閉するようにしても良い。
【００２１】
また、上述した実施例にあっては、仏壇１について述べたが、本願発明は、下に位置する箱状の第１の箱状体と、この第１の箱状体の上に載置される箱状の第２の箱状体と、を備えた収納家具（図示せず）にも同様に適用することができる。
なお、収納家具（図示せず）としては、例えば、書棚、保管庫、ロッカー、キャビネット等を収納するものである。
【図面の簡単な説明】
【００２２】
【図１】図１は、本発明の一実施例の仏壇の概略的斜視図である。
【図２】図２（ａ）は、図１の一部を断面して示す概略的右側一部断面図であり、図２（ｂ）は、図２（ａ）の接合部材の概略的斜視図である。
【図３】図３は、図１の一部を断面して示す概略的背面一部断面図である。
【図４】図４は、図１の背面の一部の概略的一部背面斜視図である。
【図５】図５は、図４を分解して示す概略的分解斜視図である。
【図６】図６は、図１の背面の一部の概略的一部背面斜視図である。
【図７】図７は、図６を分解して示す概略的分解斜視図である。
【図８】図８は、図４の概略的断面図である。
【図９】図９は、図８と異なる他の実施例の概略的断面図である。
【図１０】図１０は、図９と異なる他の実施例の概略的断面図である。
【図１１】図１１（ａ）は、図４の連結部材の概略的斜視図であり、図１１（ｂ）〜（ｇ）は、図１１（ａ）の連結部材と異なる他の実施例の連結部材の概略的斜視図である。
【図１２】図１２は、図１の仏壇と異なる他の実施例の仏壇の概略的斜視図である。
【符号の説明】
【００２３】
１        仏壇
２        第１の箱状体
３        第２の箱状体
６        連結部材
６’      連結部材
【図１】
2008229227.tif 000003
【図２】
2008229227.tif 000004
【図３】
2008229227.tif 000005
【図４】
2008229227.tif 000006
【図５】
2008229227.tif 000007
【図６】
2008229227.tif 000008
【図７】
2008229227.tif 000009
【図８】
2008229227.tif 000010
【図９】
2008229227.tif 000011
【図１０】
2008229227.tif 000012
【図１１】
2008229227.tif 000013
【図１２】
2008229227.tif 000014